(57)【要約】【課題】  左右のアームの広がり角度を任意に設定できながらも、簡単に折り畳め、アーム幅を広くした場合でも折り畳んだ時に嵩張らない衣料用ハンガーを提供する。【解決手段】  上下部分で連結され、中間部に互いに離反する方向に折れ曲り可能な折れ曲り部を形成した一対のアーム部と、アーム部の上部連結部分の中央部に配設されたフック部と、上部連結部分から下部連結部分の略中央部分の貫通する状態で設けられた支軸とを備え、下部連結部分とその略中央部分を貫通する支軸とを相対摺動可能に形成するとともに、当該支軸が摺動する下部連結部分に掛止手段を設けた。【選択図】図１
2006149925.tif 000002
【特許請求の範囲】
【請求項１】
上下部分で連結され、中間部に互いに離反する方向に折れ曲り可能な折れ曲り部を形成した一対のアーム部と、アーム部の上部連結部分の中央部に配設されたフック部と、上部連結部分から下部連結部分の略中央部分の貫通する状態で設けられた支軸とを備え、下部連結部分とその略中央部分を貫通する支軸とを相対摺動可能に形成するとともに、当該支軸が摺動する下部連結部分に掛止手段を設けたことを特徴とする衣類用ハンガー。
【請求項２】
掛止手段が、支軸に形成された凹凸と、当該凹凸に掛合並びに掛合解除操作可能な掛止片で構成したことを特徴とする衣類用ハンガー。
【請求項３】
上下の各連結部分とアーム部とが薄肉で形成した枢支部を介して一体に形成したことを特徴とする請求項１に記載の衣類用ハンガー。
【発明の詳細な説明】
【技術分野】
【０００１】
本発明は、シャツやセータ等の衣類を掛けるための衣類用ハンガーに関し特に折りたたみ式の衣類用ハンガーに関するものである。
【背景技術】
【０００２】
この種、折り畳み式の衣類用ハンガーとしては、アームの中央上方に掛止用フックを設け、アームを掛止用フックの近傍に設けた回動枢支部で回動可能にし、アームを広げた状態のときに、アームの先端同士を連結する横桟部分を中央部分と左右端寄り部で折り曲げ可能に構成し、不使用時若しくは収納時には横桟部分を折り畳みながら左右のアーム我並行になる状態に折り畳めるようにしたものがある（例えば特許文献１）。
【特許文献１】特開平６−１４２３４４号公報
【発明の開示】
【発明が解決しようとする課題】
【０００３】
ところが、こうした折り畳み式の衣料用ハンガーでは、アーム部分には所定の厚みがあることから、ハンガーを折り畳んだ時にアームの厚みのために大きく嵩張ってしまうという問題があった。
さらに、使用のためにアームを左右に広げた状態では左右のアームの角度（広がり角度）が、一定のために、服のデザインや着用する人の体型に合わせた角度にすることができないという問題があった。
本発明は上記問題点に鑑みて提案されたもので、左右のアームの広がり角度を任意に設定できながらも、簡単に折り畳め、アーム幅を広くした場合でも折り畳んだ時に嵩張らない衣料用ハンガーを提供できるようにすることを目的とするものである。
【課題を解決するための手段】
【０００４】
上記目的を達成するために本発明にかかる衣料用ハンガーは、上下部分で連結され、中間部に互いに離反する方向に折れ曲り可能な折れ曲り部を形成した一対のアーム部と、アーム部の上部連結部分の中央部に配設されたフック部と、上部連結部分から下部連結部分の略中央部分の貫通する状態で設けられた支軸とを備え、下部連結部分とその略中央部分を貫通する支軸とを相対摺動可能に形成するとともに、当該支軸が摺動する下部連結部分に掛止手段を設けたことを特徴とするものである。
【０００５】
また、本発明にかかる衣料用ハンガーでは、掛止手段が支軸に形成された凹凸と、当該凹凸に掛合並びに掛合解除操作可能な掛止片で構成したことや、上下の各連結部分とアーム部とが薄肉で形成した枢支部を介して一体に形成したことも特徴とするものである。
【発明の効果】
【０００６】
本発明にかかる衣料用ハンガーによれば、支軸が貫通する下部連結部分を上昇させるとこの下部連結部分の上昇時に支軸の両側のアーム部がその中間部分の折れ曲り部で折れ曲り、互いに離反する方向に広がるので、下部連結部を任意な位置に掛止手段で固定することにより、アーム部を所定角度に設定することができる。
これにより、左右のアームの広がり角度を、服のデザインや着用する人の体型に合わせた角度にすることができ、衣料の型崩れを可及的に防止できる状態で吊持することができる利点がある。
【０００７】
また、不使用時には掛止手段を解除してアーム部が略一直線となるように下部連結部を下降させるだけで簡単に折り畳むことができる。
更に、折り畳まれたハンガーは、アーム部の幅を広くしても折り畳んだときはアーム部若しくは支軸の厚みとなり、嵩張ることがなく携帯に至便なものにすることができる。
加えて、折り畳んだ状態では厚みが薄くなることから積み重ねもでき、大量の輸送や収納時のスペースを少なくすることができる利点がある。
【発明を実施するための最良の形態】
【０００８】
本発明にかかる衣料用ハンガーを図面に基づいて説明する。
【実施例１】
【０００９】
以下、図面を参照して本発明の一実施例を説明する。
図１は衣料用ハンガーの正面図、図２は衣料用ハンガーの側面図、図３は衣料用ハンガーの平面図であって、図中符号１は衣料用ハンガーを全体的に示す。
この衣料用ハンガー１は、細幅で縦長の左右一対のアーム部２・２と、と該アーム部２・２をその上下部分で連結する連結部３・４と、上部連結部分３から垂下され下部連結部分４を貫通する状態で設けられた支軸６と、支軸６が貫通する下部連結部分４に設けられた掛止手段７を備えており、上部連結部分３にはフック部５が設けられている。
【００１０】
上記一対のアーム部２・２、上下の連結部３・４及びフック部５は弾性を有する合成樹脂で一体に形成されている。
一対の各アーム部２・２は、細幅で縦長の板状に形成され、その中間高さ位置部分を薄肉にした折れ曲り部８が図１上左方のアーム部に端前面に、右方のアーム部には後面に形成されるとともに、これら折れ曲り部８の平面部分には等間隔に形成された筋状の滑り止め用突起９が形成されている。
アーム部２・２の各上下端部同士は、薄肉に形成された枢支部１０を介して連結部３・４で連結されており、上部連結部３の中央部にフック部５が形成されている。
またフック部の下方には、上部連結部分３から支軸６が下部連結部４を貫通する状態で
垂下されており、当該支軸６の下半部にはその表面に後述する掛止手段７の一部を構成する鋸歯状の凹凸１２が形成されている。
【００１１】
上記掛止手段７は、図４及び図５に示すように、支軸６と下部連結軸４とが相対摺動可能な支軸挿通孔１３を下部連結部４に形成し、この支軸挿通孔１３に挿通された支軸６の凹凸１２に対面する部分の下部連結部４に、掛止片１１を残した状態でＵ型のスリット１３を穿設することにより、掛止片１１の基端部分１１ａを揺動中心として先端部分が操作片１４で図５上左右に操作可能に構成してある。
この掛止片１１と操作片１４とを詳述すると、先ず操作片１４は、下部連結部４に形成された軸受け部分１５に嵌合する軸部１６を操作片１４の中央部分側方に短円柱状に突出して形成するとともに、この軸部１６の下方で掛止片１１の前端寄り部分に嵌合するゲート状の嵌合部１７が形成されている。
【００１２】
一方、掛止片１１は、その端部に上記嵌合部１７が嵌合し易くするための傾斜面１８が形成され、傾斜面１８の上部には嵌合部１７が掛合する凹部１９が形成されている。
また、掛止片１１の凹部１９と基端部１１ａとの間には上記支軸の凹凸１２に掛合して下部連結部４が下降するのを防止する方向働く形の鋸歯状の掛止部２０が突出形成されている。
上記フック部５は、図１に示すように全体が概ね角型の環状になっており、上部連結部３寄りの中央に手長猿の図柄２１が設けられ、この手長猿の両手が上方に延びてその端部２１ａが上部で上下に重ね合わされた状態にした部分に開口部２２が形成されている。
この開口部２２の下面はこの衣料用ハンガー１を例えば物干し竿２３（図６参照）や、ロープ等の索条に掛止したときの馴染みをよくするための弧状凹部２４に形成してある。
【００１３】
上記のように構成された衣料用ハンガー１を使用する手順を次に説明する。
先ず、上下に重なった手長猿の両手の端部２１ａを前後にずらしてフック部５の開口部２２を開き、この開口部２２から物干し竿２３を挿入して衣料用ハンガー１を掛け止める。
次に、衣料ハンガー１の下方からセータ等の衣料２５を挿入した後、下部連結部４を上昇させると、図６に示すように左右のアーム部２・２はそれぞれ上下の薄肉の枢支部１０・１０を回動中心として谷折れし、折れ曲り部８部分で山折れすることにより、当該折れ曲り部８が互いに離反する前後方向に広がり、衣料２５がアーム部２・２に支持される。
そして、左右のアーム部２・２が所望する角度になると、下部連結部４の上昇を停止させると、掛止手段７の掛止片１１が支軸６に形成された凹凸１２に嵌合するので、下部連結軸４は下降できない状態に保持され、左右のアーム部２・２は所望する角度で固定される。
【００１４】
ここで、衣料２５に当接する部分は、各アーム部２・２の幅となる。
こうしてアーム部２・２に掛けられた衣料２５は、折れ曲り部８に形成された筋状の滑り止め用突起９により、滑り落ちたり、型崩れすることなく、ハンガー１に吊り下げられる。
セータ等の衣料を取り外す時は、掛止手段７の操作片１１の上端部分を押し込み操作する。すると、操作片１１の中央部分の軸部１６が下方連結部４の軸受け部分１５に枢支されていることから、操作片１４の下端が手前側に突出する。
これにより、嵌合部１７を介して掛止片１１の下部が手前側に引かれ、支軸６の凹凸１２に掛合した掛止部２０の掛合が解かれ、下部連結部４が下降可能となる。
【００１５】
下部連結部４を下降させるとこれまで、左右に広がっていたアーム部２・２は折れ曲がり部８が近付く方向に移動するので、セータ等の衣料は自然に落下し、衣料用ハンガー１から抜け出るので、襟首部分をのばすことなく衣料用ハンガーから取り出すことができる。
下部連結部４をさらに下降させて図１乃至図３に示すように扁平な状態になった衣料用ハンガー１を物干し竿２３から外す場合、フック部５の下部を持って捻るだけで、上下に重なって閉じた状態の開口部２２が前後にずれて開口するので、衣料用ハンガー１を物干し竿２３から簡単に外すことができる。
斯くして物干し竿２３から外された扁平に折り畳まれた衣料用ハンガー１は、嵩張らず携帯に便利になるだけでなく、積み重ねることができ、小スペースで大量輸送がおこなえ、収納スペースも少なくすることができる。
【００１６】
尚、上記実施の形態では、フック部５を、上部連結部３寄りの中央に手長猿の図柄２１とし、この手長猿の両手が上方に延びてその端部２１ａが上部で上下に重ね合わされた状態にして開口部２２を形成するようにしてあるが、こうしたものに限られず、図柄を種々に変更することができるのはもちろんのこと、図示は省略したが、一般的な鉤型のフックにすることができるのは言うまでもない事である。
また、アーム部２・２の折れ曲がり部分８や枢支部１０を薄肉に形成するようにしてあるが、蝶番のような折れ曲り機構に代えることができるのは言うまでもないことである。
さらに、アーム部２・２の折れ曲がり部８に設けた筋状の滑り止め用突起９はウレタンフォームに代えたり、滑り止め用突起自体を省略することもできる。
【図面の簡単な説明】
【００１７】
【図１】は本発明にかかる衣料用ハンガーの正面図である。
【図２】は本発明にかかる衣料用ハンガーの側面図である。
【図３】は本発明にかかる衣料用ハンガーの平面図である。
【図４】は本発明にかかる衣料用ハンガーの掛止手段部分の正面図である。
【図５】は本発明にかかる衣料用ハンガーの掛止手段部分の縦断側面図である。
【図６】は本発明にかかる衣料用ハンガーの使用状態の斜視図である。
【符号の説明】
【００１８】
１・・・衣料用ハンガー
２・・・アーム部
３・・・上部連結部（連結部）
４・・・下部連結部（連結部）
５・・・フック部
６・・・支軸
７・・・掛止手段
８・・・折れ曲り部
１０・・・枢支部
１２・・・凹凸
【図１】
2006149925.tif 000003
【図２】
2006149925.tif 000004
【図３】
2006149925.tif 000005
【図４】
2006149925.tif 000006
【図５】
2006149925.tif 000007
【図６】
2006149925.tif 000008